【手続補正書】
【提出日】平成16年5月26日(2004.5.26)
【手続補正１】
【補正対象書類名】明細書
【補正対象項目名】００５９
【補正方法】変更
【補正の内容】
【００５９】
一方，トランスポートストリームの形式をとるビデオオブジェクト（ＴＳ１＿ＶＯＢ／ＴＳ２＿ＶＯＢ）はカプセル（Ｃａｐｓｕｌｅ）という８ＫＢのサイズを有する単位でＥＣＣブロック内に配置される。カプセルは１８Ｂのヘッダ領域を有し，データ領域にはＡＴＳ情報が付加されたＴＳパケットが４３個配置される。ＡＴＳ情報（Ａｒｒｉｖａｌ  Ｔｉｍｅ  Ｓｔａｍｐ  Ｉｎｆｏｒｍａｔｉｏｎ）は，ＤＶＤレコーダにより生成し付加される情報であって，当該パケットがＤＶＤレコーダに外部より伝送されてきたタイミングを示す情報である。
【手続補正２】
【補正対象書類名】明細書
【補正対象項目名】００６０
【補正方法】変更
【補正の内容】
【００６０】
上述の説明では，８ＫＢのＣａｐｓｕｌｅに４３個のＭＰＥＧトランスポートパケットを格納するとしたが，本発明はこれに限る訳ではなく，１つのＡＴＳ（固定バイト長）と１つのＭＰＥＧトランスポートパケットが対になった形式で，ＴＳ１＿ＶＯＢ／ＴＳ２＿ＶＯＢを形成する等の方法で記録しても良い。
【手続補正３】
【補正対象書類名】明細書
【補正対象項目名】００６２
【補正方法】変更
【補正の内容】
【００６２】
図１５はディスクに記録されるオブジェクトとして，ＰＳ＿ＶＯＢ＃１〜ＰＳ＿ＶＯＢ＃ｎ，ＴＳ１＿ＶＯＢ＃１〜ＴＳ１＿ＶＯＢ＃ｎ，ＴＳ２＿ＶＯＢ＃１〜ＴＳ２＿ＶＯＢ＃ｎがある場合を示す。図１５が示すように，これらオブジェクトの種類に応じて，ＰＳ＿ＶＯＢ用の情報テーブルと，ＴＳ１＿ＶＯＢ用の情報テーブルと，ＴＳ２＿ＶＯＢ用の情報テーブルが個別に存在すると共に，各情報テーブルは各オブジェクトのＶＯＢ情報を有している。
【手続補正４】
【補正対象書類名】明細書
【補正対象項目名】００６７
【補正方法】変更
【補正の内容】
【００６７】
図１６が示すように，再生経路には，ＤＶＤレコーダがオブジェクト記録時に記録されたすべてのオブジェクトを示すように自動生成するオリジナル再生経路情報と，ユーザが自由に再生シーケンスを定義できるユーザ定義再生経路情報の２種類がある。再生経路はＤＶＤではＰＧＣ情報（Ｐｒｏｇｒａｍ  Ｃｈａｉｎ  Ｉｎｆｏｒｍａｔｉｏｎ）と統一的呼称され，また，ユーザ定義再生経路情報はＵ−ＰＧＣ情報，オリジナル再生経路情報はＯ−ＰＧＣ情報と呼称される。
【手続補正５】
【補正対象書類名】明細書
【補正対象項目名】００７３
【補正方法】変更
【補正の内容】
【００７３】
データ再生時は，ＰＧＣ情報５０内のセル情報６０が順次読み出され，各セルにより指定されるオブジェクトが，セルにより指定される再生区間分再生されることになる。
【手続補正６】
【補正対象書類名】明細書
【補正対象項目名】００７６
【補正方法】変更
【補正の内容】
【００７６】
ここで，ＰＳ＿ＶＯＢとＴＳ１＿ＶＯＢとＴＳ２＿ＶＯＢのマップ情報を生成する際に生じる問題について以下説明する。ＰＳ＿ＶＯＢ，ＴＳ１＿ＶＯＢは，図１で説明したように主として，受信されたアナログ放送をＤＶＤレコーダがＭＰＥＧストリームにエンコードすることにより生成される。このため，Ｉピクチャや各種タイムスタンプの情報は自らが生成しており，ＤＶＤレコーダにとってストリーム内部のデータ構造は明確であり，マップ情報の生成に何の問題も生じない。
【手続補正７】
【補正対象書類名】明細書
【補正対象項目名】００７７
【補正方法】変更
【補正の内容】
【００７７】
次に，ＴＳ２＿ＶＯＢであるが，図１で説明したように主として，受信されたデジタル放送をＤＶＤレコーダがエンコードすることなく直接ディスクに記録する。このため，ＰＳ＿ＶＯＢのようにＩピクチャの位置とタイムスタンプ情報を自ら生成するわけではないため，ＤＶＤレコーダにとってストリーム内部のデータ構造は明確ではなく，記録するデジタルストリームからこれら情報を検出することが必要になる。このため，ＤＶＤレコーダは，レコーダ外部にてエンコードされたストリームを記録しているＴＳ２＿ＶＯＢのマップ情報については下記のようにＩピクチャとタイムスタンプを検出する。
【手続補正８】
【補正対象書類名】明細書
【補正対象項目名】００８４
【補正方法】変更
【補正の内容】
【００８４】
このとき，制御部２１１は読み出すべきデータを図１６が示す再生経路情報（ＰＧＣ）が示す再生シーケンスに基づき決定する。即ち，図１６の例であれば，制御部２１１は，ＶＯＢ＃１の部分区間（ＣＥＬＬ＃１）を最初に再生し，次いで，ＶＯＢ＃３の部分区間（ＣＥＬＬ＃２）を再生し，最後にＶＯＢ＃２（ＣＥＬＬ＃３）を再生する制御を行う。
【手続補正９】
【補正対象書類名】明細書
【補正対象項目名】００８７
【補正方法】変更
【補正の内容】
【００８７】
また，本実施の形態のプレーヤは，さらに，ＡＶストリームを外部に供給するためのデジタルインタフェース２０４を有している。これにより，ＡＶストリームをＩＥＥＥ１３９４やＩＥＣ９５８などの通信手段を介して外部に供給することも可能である。これは，特に，自らがエンコードしていないＴＳ２＿ＶＯＢについては，プレーヤ内部に該当するデコーダが存在しないケースもありうるため，デコードすることなく，直接，デジタルインタフェース２０４を通じて外部のＳＴＢに出力し，そのＳＴＢで再生させることができる。
【手続補正１０】
【補正対象書類名】明細書
【補正対象項目名】００９４
【補正方法】変更
【補正の内容】
【００９４】
（７．１  セルフエンコーディングによる録画動作）
最初にセルフエンコーディングの録画について，アナログ放送をＰＳ＿ＶＯＢにエンコードして記録する動作を以下，具体的に説明する。システム制御部２１２はアナログ放送チューナ２１３への受信とエンコーダ部２１４へのエンコードを要求する。エンコーダ部２１４はアナログ放送チューナ２１３から送られるＡＶデータをビデオエンコード，オーディオエンコード及びシステムエンコードしてトラックバッファ２２０に送出する。
【手続補正１１】
【補正対象書類名】明細書
【補正対象項目名】００９８
【補正方法】変更
【補正の内容】
【００９８】
システム制御部２１２は，エンコード処理終了後，エンコーダ２１４から受け取った情報に基づき，図１５に示すＰＳ＿ＶＯＢ用のＶＯＢ情報（ＰＳ＿ＶＯＢＩ）と再生制御情報を生成する。ここで，生成されるＶＯＢ情報はオブジェクト種類に適合したアクセスマップとマップ管理情報とを含む。システム制御部２１２は，マップ管理情報のマップ有効性情報を有効に設定すると共に，自己エンコーディングフラグをＯＮにする。
【手続補正１２】
【補正対象書類名】明細書
【補正対象項目名】００９９
【補正方法】変更
【補正の内容】
【００９９】
また，再生制御情報は，記録されるオブジェクトを再生対象の１つとする図１６に示すオリジナル再生経路（Ｏ−ＰＧＣ情報）が生成される。生成されたＯ−ＰＧＣ情報はオリジナル再生経路テーブルに追記される。オリジナル再生経路（Ｏ−ＰＧＣ情報）はセル情報を有する。セル情報のタイプ情報には「ＰＳ＿ＶＯＢ」が設定される。
【手続補正１３】
【補正対象書類名】明細書
【補正対象項目名】０１００
【補正方法】変更
【補正の内容】
【０１００】
最後にシステム制御部２１２は，ドライブ２２１に対してトラックバッファ２２０に蓄積されているデータの記録終了と，ＰＳ＿ＶＯＢ用のＶＯＢ情報（ＰＳ＿ＶＯＢＩ）及び再生制御情報の記録を要求し，ドライブ２２１がトラックバッファ２２０の残りデータと，これらの情報をＤＶＤ−ＲＡＭディスク１００に記録し，録画処理を終了する。
【手続補正１４】
【補正対象書類名】明細書
【補正対象項目名】０１０１
【補正方法】変更
【補正の内容】
【０１０１】
なお，アナログ放送をＴＳ１＿ＶＯＢにエンコードしてももちろん良い。この場合，エンコーダ２１４はアナログ信号をデジタル信号に変換しＭＰＥＧトランスポートストリームにエンコードするエンコーダである必要があり，セル情報内のタイプ情報は「ＴＳ１＿ＶＯＢ」に設定される。この場合のＳｔａｒｔ＿ＰＴＭ及びＥｎｄ＿ＰＴＭは，ＰＴＳでも良いしＰＣＲを用いても良い。
【手続補正１５】
【補正対象書類名】明細書
【補正対象項目名】０１０２
【補正方法】変更
【補正の内容】
【０１０２】
（７．２  アウトサイドエンコーディングによる録画動作）
次にアウトサイドエンコーディングによる録画について，デジタル放送を録画する動作を通して以下，具体的に説明する。この場合，記録されるオブジェクトの種類はＴＳ２＿ＶＯＢになる。ユーザによるデジタル放送録画要求は，ユーザＩ／Ｆ部２２２を通してシステム制御部２１２に伝えられる。システム制御部２１２はデジタル放送チューナ２１５への受信と解析部２１６へのデータ解析を要求する。
【手続補正１６】
【補正対象書類名】明細書
【補正対象項目名】０１０３
【補正方法】変更
【補正の内容】
【０１０３】
デジタル放送チューナ２１５から送られるＭＰＥＧトランスポートストリームは解析部２１６を通してトラックバッファ２２０へ転送される。解析部２１６は，最初にデジタル放送として受信されたエンコード済みのＭＰＥＧトランスポートストリーム（ＴＳ２＿ＶＯＢ）のＶＯＢ情報（ＴＳ２＿ＶＯＢＩ）の生成に必要な情報として，トランスポートストリームの先頭データが有するタイムスタンプ情報を開始時刻情報（ＴＳ２＿ＶＯＢ＿Ｖ＿Ｓ＿ＰＴＭ）として抽出し，システム制御部２１２に送る。開始時刻情報は，後に生成される図１７に示すセル情報のＳｔａｒｔ＿ＰＴＭに設定される。このタイムスタンプ情報は，ＰＣＲ又はＰＴＳになる。また，オブジェクトがＤＶＤレコーダに伝送されてくるタイミングであるＡＴＳで代用しても良い。
【手続補正１７】
【補正対象書類名】明細書
【補正対象項目名】０１０８
【補正方法】変更
【補正の内容】
【０１０８】
システム制御部２１２は，デジタル放送の受信処理終了後，解析部２１６から受け取った情報に基づき，図１５に示すＴＳ２＿ＶＯＢ用のＶＯＢ情報（ＴＳ２＿ＶＯＢＩ）と再生制御情報を生成する。ここで，生成されるＶＯＢ情報はオブジェクト種類に適合したアクセスマップとマップ管理情報とを含む。システム制御部２１２は，Ｉピクチャのオブジェクト内での位置等を検出でき有効なアクセスマップを生成した場合にはマップ管理情報のマップ有効性情報を有効に設定する。
【手続補正１８】
【補正対象書類名】明細書
【補正対象項目名】０１１０
【補正方法】変更
【補正の内容】
【０１１０】
また，再生制御情報は，記録されるオブジェクトを再生対象の１つとする図１６に示すオリジナル再生経路（Ｏ−ＰＧＣ情報）が生成される。生成されたＯ−ＰＧＣ情報はオリジナル再生経路テーブルに追記される。オリジナル再生経路（Ｏ−ＰＧＣ情報）はセル情報を有する。セル情報のタイプ情報には「ＴＳ２＿ＶＯＢ」が設定される。
【手続補正１９】
【補正対象書類名】明細書
【補正対象項目名】０１１１
【補正方法】変更
【補正の内容】
【０１１１】
最後にシステム制御部２１２は，ドライブ２２１に対してトラックバッファ２２０に蓄積されているデータの記録終了と，ＴＳ２＿ＶＯＢ用のＶＯＢ情報（ＴＳ２＿ＶＯＢＩ）及び再生制御情報の記録を要求し，ドライブ２２１がトラックバッファ２２０の残りデータと，これらの情報をＤＶＤ−ＲＡＭディスク１００に記録し，録画処理を終了する。
【手続補正２０】
【補正対象書類名】明細書
【補正対象項目名】０１３２
【補正方法】変更
【補正の内容】
【０１３２】
ＤＶＤ−ＲＡＭディスク３０５でサムネール表示を行うためには、ＤＶＤ−ＲＡＭディスク３０５の内周側の領域３０９に格納されている付属情報（３０６ａ）、付属情報（３０７ａ）、付属情報（３０８ａ）を例えばディスクの内周側から外周側に向かって順に読み出すだけでよい。従って、図６２のＤＶＤ−ＲＡＭディスク３０１のような長時間のシーク動作は発生しない。このように、特許文献１の方法では、大量の静止画ファイルがＤＶＤ−ＲＡＭディスク３０５に記録されていたとしても高速にサムネール表示をすることが出来るようになる。また、付属情報の部分に格納されている日付情報などを用いて、静止画ファイルの検索を行う場合、図６３（ａ）に示された矢印のように、サムネール表示の場合と同様に、各付属情報に少ないシーク動作でアクセスすることが出来るので、高速に検索出来るようになる。
【手続補正２１】
【補正対象書類名】明細書
【補正対象項目名】０１３５
【補正方法】変更
【補正の内容】
【０１３５】
図６３（ｂ）に静止画ファイルの静止画を表示する場合の動作を示す。静止画ファイルの静止画を表示する場合には、静止画ファイルを構成する付属情報と圧縮データとの両者にアクセスする必要がある。このような場合には、例えば、ＤＶＤ−ＲＡＭディスク３０５の内周側の領域３０９に記録されている付属情報（３０６ａ）にアクセスした後、ＤＶＤ−ＲＡＭディスク３０５の外周側の領域３１０に記録されている圧縮データ３０６ｂにアクセスする必要があり、図６３（ｂ）に示すようにシーク動作が発生してしまう。このように、静止画を表示する場合の動作のように、静止画ファイルを構成する付属情報と圧縮データとに共にアクセスする必要がある場合には、長時間のシーク動作が発生するという課題がある。
【手続補正２２】
【補正対象書類名】明細書
【補正対象項目名】０２１１
【補正方法】変更
【補正の内容】
【０２１１】
なお、本実施の形態では、ＤＶＤ−ＲＡＭディスク３１５の内周側の領域３０９に付属情報の全てのコピーが記録されるとして説明したが、これに限らない。付属情報の一部のコピーがＤＶＤ−ＲＡＭディスク３１５の内周側の領域３０９に記録されるものであっても構わない。具体的には、ＤＶＤ−ＲＡＭ３１５の内周側の領域３０９に付属情報の全てのコピーが記録される場合は、図５６のＡＰＰ１（３２３）及びＳＯＩ（３２２）が全てコピーされ、一部のコピーが記録される場合は、例えば図５６のＳＯＩ（３２２）は記録されずにＡＰＰ１（３２３）全体もしくは抜粋情報が記録される。ＡＰＰ１（３２３）の抜粋情報が記録される場合には、例えば図５４におけるＡＰＰ１マーカを除いた情報、またはＡＰＰ１データ長をも除いた情報が記録される。
【手続補正２３】
【補正対象書類名】明細書
【補正対象項目名】０２１４
【補正方法】変更
【補正の内容】
【０２１４】
なお、本実施の形態のＤＣＦ基本主画像３２４は本発明の画像情報の例であり、本実施の形態の内周側の領域３０９は本発明の第２の領域の例であり、本実施の形態の外周側の領域３１０は本発明の第１の領域の例である。
【手続補正２４】
【補正対象書類名】図面
【補正対象項目名】図１４
【補正方法】変更
【補正の内容】
【図１４】
2004005934.tif 000001
【手続補正２５】
【補正対象書類名】図面
【補正対象項目名】図１５
【補正方法】変更
【補正の内容】
【図１５】
2004005934.tif 000002
【手続補正２６】
【補正対象書類名】図面
【補正対象項目名】図１６
【補正方法】変更
【補正の内容】
【図１６】
2004005934.tif 000003